(57)【要約】【課題】複数の方向からの熱媒流通管をヘッダに接続することを可能にするものであって、信頼性の高い熱媒流通管の接続を行うことが可能な熱媒流通管ガイド用パネルおよびそれを用いた施工信頼性の高い床暖房パネルを提供する。【解決手段】熱媒流通管２を通過させる複数の溝２２ａ，２２ｂ，２２ｃが、一辺側（第１の辺側）２１ａの導出端部から、途中で分岐することなく、所定の一辺側（第２の辺側）２１ｂの導出端部に至るような態様で配設された熱媒流通管ガイド用パネル２０を、所定の溝の、第１の辺側の導出端部と、第２の辺側の導出端部が、意図する位置関係となるように、平面的に所定の角度だけ回転させた状態で、所定の溝２２ａに熱媒流通管２をはめ込むことにより、複数の方向より接近する熱媒流通管２が、第２の辺側の導出端部から第１の辺側の導出端部を経てヘッダ３に導かれるようにする。【選択図】図２
2006071141.tif 000002
【特許請求の範囲】
【請求項１】
熱媒を加熱する熱源機と、床に配設されたパネル成形体の間で、熱媒流通管を介して熱媒を循環させることにより床暖房を行う床暖房パネルにおいて、熱媒流通管を、パネル成形体に配設されたヘッダに導くための熱媒流通管ガイド用パネルであって、
(ａ)熱源機からヘッダへの往路用の熱媒流通管と、ヘッダから熱源機への復路用の熱媒流通管の、一対の熱媒流通管（以下「熱媒流通管」）を通過させる一対の溝（以下「溝」）が複数、一辺側（第１の辺側）の導出端部から、途中で分岐することなく、所定の一辺側（第２の辺側）の導出端部に至るような態様で配設され、
(ｂ)各溝の、第１の辺側の導出端部から導出される熱媒流通管がヘッダに接続されるヘッダ接続側となり、各溝の、第２の辺側の導出端部から導出される熱媒流通管が熱源機に至る熱源機側となるように構成されており、かつ、
(ｃ)所定の溝の、第１の辺側の導出端部と、第２の辺側の導出端部が、意図する位置関係となるように、平面的に所定の角度だけ回転させた状態で、該溝に熱媒流通管をはめ込むことにより、複数の方向より接近する熱媒流通管が、前記所定の溝の第２の辺側の導出端部から第１の辺側の導出端部を経てヘッダに導かれるように構成されていること
を特徴とする熱媒流通管ガイド用パネル。
【請求項２】
平面的に回転させたときに、所定の角度毎に、パネル成形体に設けられた係合構造部に係合するとともに、その状態で所定の溝に熱媒流通管をはめ込むことにより、複数の方向より接近する熱媒流通管が、前記所定の溝の第２の辺側の導出端部から第１の辺側の導出端部を経てヘッダに導かれるように構成されていることを特徴とする請求項１記載の熱媒流通管ガイド用パネル。
【請求項３】
平面形状が略方形で、平面的に９０度ずつ回転させたときに、パネル成形体に設けられた係合構造部に係合するとともに、その状態で所定の溝に熱媒流通管をはめ込むことにより、複数の方向より接近する熱媒流通管が、前記所定の溝の第２の辺側の導出端部から第１の辺側の導出端部を経てヘッダに導かれるように構成されていることを特徴とする請求項１記載の熱媒流通管ガイド用パネル。
【請求項４】
熱媒を加熱する熱源機と、床に配設されたパネル成形体の間で、熱媒流通管を介して熱媒を循環させることにより床暖房を行う床暖房パネルであって、
(ａ)請求項１〜３のいずれかに記載の熱媒流通管ガイド用パネルと、
(ｂ)表面に形成された、熱媒流通管を通過させる溝と、周辺部近傍に配設された、熱媒流通管が接続されるヘッダと、ヘッダの近傍領域に形成された、前記熱媒流通管ガイド用パネルが係合する係合構造部とを備えたパネル成形体と
を具備し、
熱源機とパネル成形体の間で熱媒を循環させる熱媒流通管が、前記熱媒流通管ガイド用パネルにより案内されて前記ヘッダに接続されるように構成されていること
を特徴とする床暖房パネル。
【発明の詳細な説明】
【技術分野】
【０００１】
本願発明は、熱媒を加熱する熱源機と、床に配設されたパネル成形体の間で、熱媒流通管を介して熱媒を循環させることにより床暖房を行う床暖房パネルにおいて、熱媒流通管をパネル成形体に組み込まれたヘッダに導くための熱媒流通管ガイド用パネルおよび、該熱媒流通管ガイド用パネルを用いた床暖房パネルに関する。
【背景技術】
【０００２】
近年、暖房設備の一つとして、床暖房パネルが広く利用されるに至っている。この床暖房パネルは、例えば、発泡樹脂製の板状体（パネル成形体）の一方面側に熱媒流通管を通すための配管溝を形成し、この配管溝に熱媒流通管を埋設し、その表面をアルミニウム箔などの放熱シートで被覆した構造のものが提案されている。
【０００３】
ところで、このような床暖房パネルにおいて、熱媒流通管は、通常、パネル成形体に取り付けられたヘッダを介してパネル成形体に接続されている。
熱媒流通管は、熱源機とヘッダとの間を最短距離で接続できるように配設することが望ましいが、実際には、熱源機の設置位置、パネル成形体が配設される部屋の場所、パネル成形体に取り付けられるヘッダの位置、パネル成形体の枚数、連絡管を湾曲させる際の最小曲率半径などに応じて、Ｌ字状、Ｕ字状などの種々の態様で曲折した状態で配設されることになる。
【０００４】
一方、熱媒流通管をこのような種々の態様でヘッダに接続しようとすると、熱媒流通管をヘッダに案内するための熱媒流通管ガイド用パネルが必要となり、従来の床暖房パネルにおいても種々の熱媒流通管ガイド用パネルが用いられている。
【０００５】
しかしながら、熱媒流通管をヘッダに接続するにあたっては、上述のように種々の態様で熱媒流通管を曲折させて配設することが必要であり、それに対応する熱媒流通管ガイド用パネルを用意しようとすると、多種類の熱媒流通管ガイド用パネルを用意しておくことが必要となったり、多数の部材を準備しておくことが必要になったりするという問題点があり、その作製、保管、輸送なども煩雑になるという問題点がある。
【０００６】
そこで、このような問題点を解決する目的で、熱源機に接続された熱媒流通管をヘッダに導くための連絡管ガイド用パネルとして、例えば、図５に示すように、表面に、熱媒流通管５２が埋設される溝（案内溝）６２（６２ａ，６２ｂ）を、異なる複数の方向からヘッダ５３の接続部５４に集めることができるような態様で形成することにより、熱媒流通管５２の複数種類の配設態様に対応できるようにした熱媒流通管ガイド用パネル５１が提案されている（特許文献１参照）。
なお、図５の構成では、溝６２ａ，６２ｂは、溝６２を途中で２つに分岐させることにより形成されている。
【０００７】
そして、上述のように構成された熱媒流通管ガイド用パネルでは、溝６２ａは、熱媒流通管５２を、図５の左側からヘッダ５３にまっすぐに導く機能を果たし、溝６２ｂは、熱媒流通管５２を、図５の上方から、角度を９０度振ってヘッダ５３に導く機能を果たす。
【０００８】
したがって、この熱媒流通管ガイド用パネル５１を用いることにより、複数の方向から熱媒流通管５２をヘッダ５３に接続する場合に対応することが可能になる。
【０００９】
しかしながら、上記従来の方法の場合、複数の方向からの熱媒流通管５２（５２ａ）および５２（５２ｂ）を、途中で分岐した溝６２ａおよび６２ｂと、溝６２ａ，６２ｂが合流した溝６２を介して、ヘッダ５３の接続部５４に導くように構成しているため、施工現場において熱媒流通管の接続の方向がわかりにくい（すなわち、熱媒流通管５２をはめ込む際に、例えば、溝６２ａにはめ込むべき熱媒流通管５２が、溝６２ｂにはめ込まれてしまう場合がある）という問題点がある。
【特許文献１】特開２００２−２２８１６８号公報
【発明の開示】
【発明が解決しようとする課題】
【００１０】
本願発明は、複数の方向からの熱媒流通管をヘッダに接続することを可能にするものであって、信頼性の高い熱媒流通管の接続を確実に行うことが可能な熱媒流通管ガイド用パネルおよびそれを用いた施工信頼性の高い床暖房パネルを提供することを課題とする。
【課題を解決するための手段】
【００１１】
上記課題を解決するために、本願発明（請求項１）の熱媒流通管ガイド用パネルは、
熱媒を加熱する熱源機と、床に配設されたパネル成形体の間で、熱媒流通管を介して熱媒を循環させることにより床暖房を行う床暖房パネルにおいて、熱媒流通管を、パネル成形体に配設されたヘッダに導くための熱媒流通管ガイド用パネルであって、
(ａ)熱源機からヘッダへの往路用の熱媒流通管と、ヘッダから熱源機への復路用の熱媒流通管の、一対の熱媒流通管（以下「熱媒流通管」）を通過させる一対の溝（以下「溝」）が複数、一辺側（第１の辺側）の導出端部から、途中で分岐することなく、所定の一辺側（第２の辺側）の導出端部に至るような態様で配設され、
(ｂ)各溝の、第１の辺側の導出端部から導出される熱媒流通管がヘッダに接続されるヘッダ接続側となり、各溝の、第２の辺側の導出端部から導出される熱媒流通管が熱源機に至る熱源機側となるように構成されており、かつ、
(ｃ)所定の溝の、第１の辺側の導出端部と、第２の辺側の導出端部が、意図する位置関係となるように、平面的に所定の角度だけ回転させた状態で、該溝に熱媒流通管をはめ込むことにより、複数の方向より接近する熱媒流通管が、前記所定の溝の第２の辺側の導出端部から第１の辺側の導出端部を経てヘッダに導かれるように構成されていること
を特徴としている。
【００１２】
また、請求項２の熱媒流通管ガイド用パネルは、平面的に回転させたときに、所定の角度毎に、パネル成形体に設けられた係合構造部に係合するとともに、その状態で所定の溝に熱媒流通管をはめ込むことにより、複数の方向より接近する熱媒流通管が、前記所定の溝の第２の辺側の導出端部から第１の辺側の導出端部を経てヘッダに導かれるように構成されていることを特徴としている。
【００１３】
また、請求項３の熱媒流通管ガイド用パネルは、平面形状が略方形で、平面的に９０度ずつ回転させたときに、パネル成形体に設けられた係合構造部に係合するとともに、その状態で所定の溝に熱媒流通管をはめ込むことにより、複数の方向より接近する熱媒流通管が、前記所定の溝の第２の辺側の導出端部から第１の辺側の導出端部を経てヘッダに導かれるように構成されていることを特徴としている。
【００１４】
また、本願発明（請求項４）の床暖房パネルは、
熱媒を加熱する熱源機と、床に配設されたパネル成形体の間で、熱媒流通管を介して熱媒を循環させることにより床暖房を行う床暖房パネルであって、
(ａ)請求項１〜３のいずれかに記載の熱媒流通管ガイド用パネルと、
(ｂ)表面に形成された、熱媒流通管を通過させる溝と、周辺部近傍に配設された、熱媒流通管が接続されるヘッダと、ヘッダの近傍領域に形成された、前記熱媒流通管ガイド用パネルが係合する係合構造部とを備えたパネル成形体と
を具備し、
熱源機とパネル成形体の間で熱媒を循環させる熱媒流通管が、前記熱媒流通管ガイド用パネルにより案内されて前記ヘッダに接続されるように構成されていること
を特徴としている。
【発明の効果】
【００１５】
本願発明（請求項１）の熱媒流通管ガイド用パネルは、熱源機とパネル成形体の間で熱媒を循環させる熱媒流通管を、パネル成形体に配設されたヘッダに導くためのものであって、熱媒流通管を通過させる溝が複数、一辺側（第１の辺側）の導出端部から、途中で分岐することなく、所定の一辺側（第２の辺側）の導出端部に至るような態様で配設され、各溝の、第１の辺側から導出される熱媒流通管がヘッダに接続されるヘッダ接続側となり、各溝の、第２の辺側から導出される熱媒流通管が熱源機に至る熱源機側となるように構成されており、かつ、所定の溝の、第１の辺側の導出端部と、第２の辺側の導出端部が、意図する位置関係となるように、平面的に所定の角度だけ回転させた状態で、該溝に熱媒流通管をはめ込むようにしているので、熱媒流通管ガイド用パネルに形成された所定の溝に熱媒流通管をはめ込むだけで、複数の方向より接近する熱媒流通管を、容易かつ確実に第２の辺側の導出端部から第１の辺側の導出端部を経てヘッダに導くことが可能になる。
【００１６】
また、各溝は途中で分岐していないので、熱媒流通管ガイド用パネルの回転方向の位置を定めるだけで、接続方向を間違えることなく、熱媒流通管を確実にヘッダに導くことが可能になり、信頼性の高い床暖房パネルの施工を行うことが可能になる。
【００１７】
なお、本願発明において、「溝が複数、一辺側（第１の辺側）の導出端部から、途中で分岐することなく、所定の一辺側（第２の辺側）の導出端部に至るような態様で配設され」ているとは、配設される複数の溝のそれぞれが、途中で分岐することなく、第１の辺側から第２の辺側に達するように配設されていることを意味している。
【００１８】
なお、本願発明において、第２の辺側は、第１の辺側とは異なる辺側である場合はもちろん、第１の辺側と同じ辺側である場合も含む。この例としては、例えばＵ字状の溝が、両端が同一辺に導出されるように配設される場合などが挙げられる。
【００１９】
また、請求項２の熱媒流通管ガイド用パネルのように、平面的に回転させた場合において、所定の角度毎に、パネル成形体に設けられた係合構造部に係合するようにした場合、その状態で熱媒流通管ガイド用パネルに形成された所定の溝に熱媒流通管をはめ込むだけで、複数の方向より接近する熱媒流通管を、容易かつ確実に第２の辺側の導出端部から第１の辺側の導出端部を経てヘッダに導くことが可能になる。
【００２０】
また、請求項３の熱媒流通管ガイド用パネルのように、平面形状を略方形とするとともに、平面的に９０度ずつ回転させたときに、パネル成形体に設けられた係合構造部に係合するようにした場合、その状態で熱媒流通管ガイド用パネルに形成された所定の溝に熱媒流通管をはめ込むだけで、複数の方向からの熱媒流通管を、容易かつ確実に第２の辺側の導出端部から第１の辺側の導出端部を経てヘッダに導くことが可能になり、信頼性の高い床暖房パネルの施工を行うことが可能になる。
【００２１】
また、本願発明（請求項４）の床暖房パネルは、(ａ)請求項１〜３のいずれかに記載の熱媒流通管ガイド用パネルと、(ｂ)表面に形成された、熱媒流通管を通過させる溝と、周辺部に配設された、熱媒流通管が接続されるヘッダと、ヘッダの近傍領域に形成された、前記熱媒流通管ガイド用パネルが係合する係合構造部とを備えたパネル成形体とを具備しており、熱源機とパネル成形体の間で熱媒を循環させる熱媒流通管を上記熱媒流通管ガイド用パネルにより案内してヘッダに接続するようにしているので、熱媒流通管が誤って接続されることを防止することが可能になり、施工作業性が良好で、しかも施工信頼性の高い床暖房パネルを提供することが可能になる。
【実施例１】
【００２２】
以下に本願発明の実施例を示して、本願発明の特徴とするところをさらに詳しく説明する。
【００２３】
図１は本願発明の実施例にかかる床暖房パネルの要部構成を示す平面図であり、図２は床暖房パネルを構成する熱媒流通管ガイド用パネルをパネル成形体（温水パネル）に取り付けた状態を示す図、図３は床暖房パネルを構成する熱媒流通管ガイド用パネルを、図２の状態から、左回りに９０度回転させた状態を示す図、図４は床暖房パネルを構成する熱媒流通管ガイド用パネルを、図３の状態から、左回りに９０度回転させた状態を示す図である。
【００２４】
この実施例１の床暖房パネルは、熱媒を加熱する熱源機と、床に配設されたパネル成形体の間で、熱媒流通管を介して熱媒を循環させることにより床暖房を行う床暖房パネルであって、図１に示すように、その表面に、熱媒流通管２を通過させる溝１２が形成された、発泡樹脂製の成形体用パネル本体１と、成形体用パネル本体１の周辺部近傍に設けられた、熱媒流通管２が接続されるヘッダ３とを備えたパネル成形体（温水パネル）１０と、熱媒流通管２をヘッダ３に導いて、ヘッダ３の接続部４に確実に接続できるようにするための熱媒流通管ガイド用パネル２０を備えている。
【００２５】
そして、この実施例の床暖房パネルにおいて、パネル成形体（温水パネル）１０を構成する成形体用パネル本体１のヘッダ３が設けられた領域の近傍には、上記熱媒流通管ガイド用パネル２０と係合する係合構造部として機能する、切欠き部５が形成されている。
【００２６】
また、熱媒流通管ガイド用パネル２０は、発泡樹脂製のガイド用パネル本体２１の表面に、熱源機（図示せず）からヘッダ３への往路用の熱媒流通管２（２ａ）（図２）と、ヘッダ３から熱源機への復路用の熱媒流通管２（２ｂ）（図２）の、一対の熱媒流通管（以下、単に「熱媒流通管」という）を通過させる一対の溝（以下、単に「溝」という）２２が、複数（この実施例では、溝２２ａ，溝２２ｂ，溝２２ｃの合計３対）配設されており、各溝２２ａ，２２ｂ，２２ｃはいずれも、途中で分岐することなく、一辺側（第１の辺側）の導出端部から、所定の一辺側（第２の辺側）の導出端部に至るような態様で配設されている。
【００２７】
そして、熱媒流通管ガイド用パネルに配設された各溝２２ａ，２２ｂ，２２ｃのうち、図２に示すような態様で熱媒流通管ガイド用パネル２０をパネル成形体（温水パネル）１０の係合構造部（切欠き部）５に係合させた状態において、熱媒流通管２をヘッダ３に導くべき溝となる溝２２ａについてみると、図２のガイド用パネル本体２１の上側の横方向の辺２１ａが第１の辺側（ヘッダ接続側）となり、右側の縦方向の辺２１ｂが第２の辺側(熱源機接続側）となる。
【００２８】
そして、溝２２ａの、第１の辺側（辺２１ａ側）の導出端部と、第２の辺側（辺２１ｂ側）の導出端部の位置関係が、図２に示すような位置関係になっている状態において、溝２２ａに熱媒流通管２をはめ込むことにより、右方向より熱媒流通管ガイド用パネル２０に至る熱媒流通管２が、第２の辺側（辺２１ｂ側）の導出端部から、第１の辺側（辺２１ａ側）の導出端部を経て、ヘッダ３に導かれる。
【００２９】
また、この実施例の床暖房パネルにおいて、図３に示すように、熱媒流通管ガイド用パネル２０を、図２の状態から、左回りに９０度回転させた場合、溝２２ｂが熱媒流通管２をヘッダ３に導くべき溝となる。そして、図３の状態で溝２２ｂについてみると、ガイド用パネル本体２１の上側の横方向の辺２１ｂが第１の辺側（ヘッダ接続側）となり、左側の縦方向の辺２１ａが第２の辺側（熱源機接続側）となる。
【００３０】
そして、溝２２ｂの、第１の辺側（辺２１ｂ側）の導出端部と、第２の辺側（辺２１ａ側）の導出端部の位置関係が、図３に示すような位置関係になっている状態において、溝２２ｂに熱媒流通管２をはめ込むことにより、左方向から熱媒流通管ガイド用パネル２０に至る熱媒流通管２が、第２の辺側（辺２１ａ側）の導出端部から、第１の辺側（辺２１ｂ側）の導出端部を経て、ヘッダ３に導かれる。
【００３１】
さらに、この実施例の床暖房パネルにおいては、図４に示すように、熱媒流通管ガイド用パネル２０を、図３の状態から、左回りに９０度回転させた場合、溝２２ｃが熱媒流通管２をヘッダ３に導くべき溝となる。そして、図４の状態で溝２２ｃについてみると、ガイド用パネル本体２１の上側の横方向の辺２１ｃが第１の辺側（ヘッダ接続側）となり、下側の横方向の辺２１ａが第２の辺側（ヘッダ接続側）となる。
【００３２】
そして、溝２２ｃの、第１の辺側（辺２１ｃ側）の導出端部と、第２の辺側（辺２１ａ側）の導出端部の位置関係が、図４に示すような位置関係になっている状態において、溝２２ｃに熱媒流通管２をはめ込むことにより、下方向から熱媒流通管ガイド用パネル２０に至る熱媒流通管２が、第２の辺側（辺２１ａ側）の導出端部から、第１の辺側（辺２１ｃ側）の導出端部を経て、ヘッダ３に導かれることになる。
【００３３】
したがって、上述のように構成された床暖房パネルにおいては、
(ａ)熱媒流通管ガイド用パネル２０を図２に示す状態で成形体用パネル本体１の係合構造部（切欠き部）５に係合させ、その状態で熱媒流通管２を溝２２ａにはめ込むことにより、右側からヘッダ３に接近する熱媒流通管２を上方に９０度向きを変えてヘッダ３に確実に導くことが可能になり、
(ｂ)熱媒流通管ガイド用パネル２０を、図３に示す状態となるように、図２の状態から、左回りに９０度回転させた状態で、成形体用パネル本体１の係合構造部（切欠き部）５に係合させ、その状態で熱媒流通管２を溝２２ｂにはめ込むことにより、左側からヘッダ３に接近する熱媒流通管２を上方に９０度向きを変えてヘッダ３に確実に導くことが可能になり、また、
(ｃ)熱媒流通管ガイド用パネル２０を、図４に示す状態となるように、図３の状態から、左回りに９０度回転させた状態で、成形体用パネル本体１の係合構造部（切欠き部）５に係合させ、その状態で熱媒流通管２を溝２２ｃにはめ込むことにより、下側からヘッダ３に接近する熱媒流通管２をヘッダ３に確実に導いて接続することが可能になる。
したがって、一つの熱媒流通管ガイド用パネル２０を用意し、これを所定の角度だけ回転させ、その状態で所定の溝に熱媒流通管をはめ込むだけで、複数の方向からヘッダ３に接近する熱媒流通管ガイド用パネル２を、容易かつ確実にヘッダ３に導いて接続することができるようになる。
【００３４】
また、各溝２２ａ，２２ｂおよび２２ｃはいずれも途中で分岐していないので、接続方向を間違えることなく、熱媒流通管２を確実にヘッダ３に導くことが可能になり、信頼性の高い床暖房パネルの施工を行うことが可能になる。
【００３５】
なお、上記実施例では、第１の辺側と第２の辺側は、互いに異なる辺側となっているが、例えば、ガイド用パネルに、Ｕ字状の溝の形成して、溝の両端を同一辺に導出する（すなわち、第１の辺側と第２の辺側が同じ辺側となるように構成する）ことも可能である。
【００３６】
また、本願発明は、上記実施例に限定されるものではなく、熱媒流通管の具体的な配設態様や、経路、熱媒流通管ガイド用パネルを構成するガイド用パネル本体の形状、構造、パネル成形体を構成する成形体用パネル本体の、熱媒流通管ガイド用パネルを係合させる係合構造部の具体的な形状、成形体用パネル本体に組み込まれるヘッダの配設位置、ヘッダへの熱媒流通管の接続数などに関し、発明の範囲内において、種々の応用、変形を加えることが可能である。
【産業上の利用可能性】
【００３７】
上述のように、本願発明によれば、熱媒流通管ガイド用パネルに、途中で分岐しない複数の溝を配設し、平面的に所定の角度だけ回転させた状態で、熱媒流通管ガイド用パネルに形成された所定の溝に熱媒流通管をはめ込むだけで、複数の方向からヘッダに接近する熱媒流通管を確実にヘッダに導くことが可能になるとともに、各溝が、途中で分岐していないため、接続方向を間違えることなく、熱媒流通管をヘッダに導くことが可能になり、施工現場において、容易に信頼性の高い床暖房パネルの施工を行うことが可能になる。
したがって、本願発明は、熱媒流通管をヘッダに接続する工程を経て施工される床暖房パネルに広く適用することが可能である。
【図面の簡単な説明】
【００３８】
【図１】本願発明の一実施例にかかる床暖房パネルの要部構成を示す平面図である。
【図２】本願発明の一実施例にかかる床暖房パネルを構成する熱媒流通管ガイド用パネルをパネル成形体（温水パネル）に取り付けた状態を示す図である。
【図３】本願発明の一実施例にかかる床暖房パネルの要部構成を示す平面図であり、その熱媒流通管ガイド用パネルを、図２の状態から、左回りに９０度転させた状態を示す図である。
【図４】本願発明の一実施例にかかる床暖房パネルの要部構成を示す平面図であり、その熱媒流通管ガイド用パネルを、図３の状態から、左回りに９０度回転させた状態を示す図である。
【図５】従来の床暖房パネルを示す図である。
【符号の説明】
【００３９】
１        成形体用パネル本体
２        熱媒流通管
２（２ａ）      往路用の熱媒流通管
２（２ｂ）      復路用の熱媒流通管
３        ヘッダ
４        ヘッダの接続部
５        切欠き部
１０      パネル成形体（温水パネル）
１２      溝
２０      熱媒流通管ガイド用パネル
２１      ガイド用パネル本体
２１ａ，２１ｂ，２１ｃ          辺
２２，２２ａ，２２ｂ，２２ｃ    溝
【図１】
2006071141.tif 000003
【図２】
2006071141.tif 000004
【図３】
2006071141.tif 000005
【図４】
2006071141.tif 000006
【図５】
2006071141.tif 000007